(57)【要約】【課題】メンテナンスが容易な空気調和機を提供する。【解決手段】室外ユニット１は、送風ファン１ａからの風を吹き出す吐出口２を有する前面パネル３と、電装ブロック部（図示せず）のメンテナンス用でかつ前面側から脱着自在のサービスパネル５を具備し、前記前面パネル３に前記吐出口２から吹き出された風の方向を変更する風向変更装置４を設けたもので、電装ブロック部のメンテナンス時に風向変更装置４を取り外すことなくサービスパネル５の脱着のみで作業ができるので、メンテナンスの作業性の向上が図れる。【選択図】図１ 
2005098569.tif 000002
【特許請求の範囲】
【請求項１】
室内に配される室内ユニットと、前記室内ユニットと冷媒配管を介して接続され送風ファンと電装ブロック部を内蔵した室外ユニットからなり、前記室外ユニットは、前記送風ファンからの風を吹き出す吐出口を有する前面パネルと、前記電装ブロック部のメンテナンス用でかつ前面側から脱着自在のサービスパネルを具備し、前記前面パネルに前記吐出口から吹き出された風の方向を変更する風向変更装置を設けたことを特徴とする空気調和機。
【請求項２】
送風ファンを斜流ファンとし、風向変更装置は、吐出口に対向する対向面部と、風を吹き出す開口部と、前面パネルから前記対向面部にかけて幅が次第に拡大する側面部を有することを特徴とする請求項１記載の空気調和機。
【請求項３】
風向変更装置は、吐出口に対向する対向面部と、風を吹き出す開口部と、前面パネルと前記対向面部とをつなぎかつ風を開口部に誘導する側面部を有するとともに、前記開口部を前記吐出口の面方向に前記吐出口より大きい幅で形成したことを特徴とする請求項１又は２記載の空気調和機。
【請求項４】
風向変更装置を脱着可能とし、かつ前面パネルへの取付け方向に応じて吐出風の吐出方向が変えられるように形成したことを特徴とする請求項１〜３のいずれか１項記載の空気調和機。
【請求項５】
風向変更装置は、少なくとも室外ユニット下方側への送風吹き出しを規制する第１風向変更部と、前記第１風向変更部と着脱可能でかつ吹き出し方向を規定する第２風向変更部を有することを特徴とする請求項１〜４のいずれか１項記載の空気調和機。
【請求項６】
風向変更装置は、少なくとも吐出口に対向する対向面部と、室外ユニット下方側への送風吹き出しを規制する側面部を有することを特徴とする請求項１〜５のいずれか１項記載の空気調和機。
【発明の詳細な説明】
【技術分野】
【０００１】
本発明は、空気調和機に関するもので、特に室外ユニットに関するものである。
【背景技術】
【０００２】
従来の空気調和機の室外ユニットを図７に基づいて説明する。図７において室外ユニット１０１の風吐出面側に、風向チャンバ１２１を取り囲むよう設けて、風を前方から上方へと向かわせる風向変更装置１２２を、室外ユニット１０１の取り付けビス１１３を兼用して装着されている。風向変更装置１２２は室外ユニット１０１の奥行き寸法Ｌと同程度に離して装備することで、吐出風を十分溜める空間域Ｓが確保され、圧損を少なくして風はスムーズに上方の矩形状の放出口１２３から吐出して、送風時の騒音低下と、かつ人体への不快な風の当たりを避けることができるというものである。（例えば、特許文献１参照）
【特許文献１】特開平１１−２３７０８３号公報
【発明の開示】
【発明が解決しようとする課題】
【０００３】
しかしながら、上記従来の構成では、前面パネル１０２Ａが一体型であるため、電装ブロック部（図示せず）のメンテナンスを前面パネル１０２Ａ側から行なう形態の室外ユニット１０１の場合は、一旦、風向チャンバ１２１を外さなければ、電装ブロック部のメンテナンス作業ができないという課題を有していた。
【０００４】
本発明は、このような従来の課題を解決するものであり、メンテナンス作業が容易で、かつ吐出風の風量損失及びそれに伴う能力損失を抑え、容易に吐出風の風向変更ができる空気調和機を提供することを目的とするものである。
【課題を解決するための手段】
【０００５】
上記従来の課題を解決するために、本発明の空気調和機の室外ユニットは、前記送風ファンからの風を吹き出す吐出口を有する前面パネルと、電装ブロック部のメンテナンス用でかつ前面側から脱着自在のサービスパネルを具備し、前記前面パネルに前記吐出口から吹き出された風の方向を変更する風向変更装置を設けたもので、電装ブロック部のメンテナンス時に風向変更装置を取り外すことなくサービスパネルの脱着のみで作業ができるので、メンテナンスの作業性の向上が図れる。
【発明の効果】
【０００６】
本発明の空気調和機は、メンテナンス作業が容易で、しかも室外ユニットからの吐出風の風量損失及びそれに伴う能力損失を抑え、容易に吐出風の風向変更ができるものである。
【発明を実施するための最良の形態】
【０００７】
第１の発明は、室内に配される室内ユニットと、前記室内ユニットと冷媒配管を介して接続され送風ファンと電装ブロック部を内蔵した室外ユニットからなり、前記室外ユニットは、前記送風ファンからの風を吹き出す吐出口を有する前面パネルと、前記電装ブロック部のメンテナンス用でかつ前面側から脱着自在のサービスパネルを具備し、前記前面パネルに前記吐出口から吹き出された風の方向を変更する風向変更装置を設けたもので、電装ブロック部のメンテナンス時に風向変更装置を取り外すことなくサービスパネルの脱着のみで作業ができるので、メンテナンスの作業性の向上が図れる。
【０００８】
第２の発明は、特に、第１の発明の送風ファンを斜流ファンとし、風向変更装置は、吐出口に対向する対向面部と、風を吹き出す開口部と、前面パネルから前記対向面部にかけて幅が次第に拡大する側面部を有するもので、前記対向面部にかけて幅が拡大する部分に吐出風を溜める空間が確保され、風量損失及びそれに伴う能力損失を抑えることができる。
【０００９】
第３の発明は、特に、第１又は第２の発明の風向変更装置は、吐出口に対向する対向面部と、風を吹き出す開口部と、前面パネルと前記対向面部とをつなぎかつ風を開口部に誘導する側面部を有するとともに、前記開口部を前記吐出口の面方向に前記吐出口より大きい幅で形成したもので、前記対向面部に斜流送風される吐出風が前記側面部の幅が拡大した部分に沿って流れ、前記開口部から広角で吹き出されので風をスムーズに放出させることができる。
【００１０】
第４の発明は、特に、第１〜３の発明のいずれか１つの発明の風向変更装置を脱着可能とし、かつ前面パネルへの取付け方向に応じて吐出風の吐出方向が変えられるように形成したもので、風向変更装置の取り付け方向を変えるだけで吐出風の吐出方向を左右へ容易に換えることができ、閉塞部分が多く開放が少ないスペースで風向変更を行うと、ショートサーキットの問題も解決できる。
【００１１】
第５の発明は、特に、第１〜４の発明のいずれか１つの発明の風向変更装置は、少なくとも室外ユニット下方側への送風吹き出しを規制する第１風向変更部と、前記第１風向変更部と着脱可能でかつ吹き出し方向を規定する第２風向変更部を有するもので、第２風向変更部の形状を選択するだけで、様々な吹き出し方向を実現でき、かつ、部品が小型化されるので据付時の作業性がより向上することができる。
【００１２】
第６の発明は、特に、第１〜５の発明のいずれか１つの発明の風向変更装置は、少なくとも吐出口に対向する対向面部と、室外ユニット下方側への送風吹き出しを規制する側面部を有するもので、上方のみならず、吹き出しの規制を受けない上方側方からも風が吐出されるので、吐出風を分散してスムーズに吐出させることが出来る。
【００１３】
以下、本発明の実施の形態について、図面を参照しながら説明する。なお、この実施の形態によって本発明が限定されるものではない。
【００１４】
（実施の形態１）
以下、本発明の第１の実施の形態における空気調和機について、図１を用いて説明する。
【００１５】
図において、１は、冷媒用配管（図示せず）を通して室内に配された室内ユニット（図示せず）に接続される室外ユニットで、内部に送風ファン１ａを具備し、前記送風ファン１ａの吹出し方向側に前記送風ファン１ａからの送風を吹き出す吐出口２を有する前面パネル３を備えている。５は、室内ユニット１に内蔵された電装ブロック部（図示せず）のメンテナンス時に脱着するサービスパネルで、前記前面パネル３と分離して設けられている。前記前面パネル３には、前記吐出口２から前方に吹き出された送風の方向を変更させる風向変更装置４が備えられている。
【００１６】
上記構成によれば、電装ブロック部のメンテナンスを行う場合、サービスパネル５のみを脱着するだけで行えるので、従来のような前面パネル３や風向変更装置４を外す手間が不用になり、メンテナンス時の作業性が著しく向上するものである。
【００１７】
（実施の形態２）
次に本発明の第２の実施の形態を図２を用いて説明する。なお上記第１の実施の形態と同一部分については、同一符号を用いてその説明を省略する。
【００１８】
本実施の形態では、第１の実施の形態の送風ファン１ａに換え斜流ファン１ｂを用い、さらに風向変更装置４を、吐出口２に対向する対向面部６と、風を吹き出す開口部７と、前面パネル３から前記対向面部６にかけて幅が除々に拡大するように構成された側面部８で構成したものである。
【００１９】
上記構成により、対向面部６にかけて幅が拡大する部分に吐出風を溜める空間９が確保され、風量損失及びそれに伴う能力損失を低減することができる。
【００２０】
（実施の形態３）
次に本発明の第３の実施の形態を図３を用いて説明する。なお上記実施の形態と同一部分については、同一符号を用いてその説明を省略する。
【００２１】
本実施の形態における風向変更装置４は、吐出口２に対向する対向面部６と、送風を吹き出す開口部７と、前面パネル３と対向面部６とをつなぎ、風を開口部７に誘導する側面部８を有するとともに、開口部７は吐出口２の面方向に吐出口２より大きい幅に構成され、風を広角で吹き出すことが出来るようになっている。
【００２２】
これにより、対向面部６に斜流送風される吐出風が、上方に向かって次第に拡大した側面部８に沿って流れ、開口部７からの風をスムーズに放出させることができ、吐出時の圧損をさらに低減することができる。
【００２３】
（実施の形態４）
次に本発明の第４の実施の形態を図４を用いて説明する。なお上記実施の形態と同一部分については、同一符号を用いてその説明を省略する。
【００２４】
風向変更装置４を上下方向に脱着可能としさらに、図に示すように、風向変更装置４の取り付け方向により吐出風を左右何れかに傾けられるように開口部７の片側を広げて構成したものである。
【００２５】
これにより、風向変更装置４の向きを左右へ容易に換えることができ、閉塞部分が多く開放が少ないスペースで風向変更を行うことにより、ショートサーキットの問題も解決できる。
【００２６】
（実施の形態５）
次に本発明の第５の実施の形態を図５を用いて説明する。なお上記実施の形態と同一部分については、同一符号を用いてその説明を省略する。
【００２７】
本実施の形態の風向変更装置４は、少なくとも室外ユニット１の下方側への送風吹出しを規制する第１風向変更部１１と、前記第１風向変更部１１と着脱可能でかつ吹出し方向を規定する第２風向変更部１２とを備えている。これにより、第２風向変更部１２の形状を任意に選択する事で、風向変更装置４全体を換えることなく、様々な吹き出し方向を実現でき、かつ、部品サイズの小型化で据付時の作業性をより向上させることができるものである。
【００２８】
（実施の形態６）
次に本発明の第６の実施の形態を図６を用いて説明する。なお上記実施の形態と同一部分については、同一符号を用いてその説明を省略する。
【００２９】
本実施の形態では、風向変更装置４は、少なくとも吐出口２に対向する対向面部６と、室外ユニット１の下方側への送風吹出しを規制する下部側面部１３とを有するもので、これにより、上方のみならず、下部側面部１３の上側に形成され吹き出しの規制を受けない上部側面部１４からも風が出るので、吐出風を分散してスムーズに吐出させることができる。
【産業上の利用可能性】
【００３０】
以上のように、本発明にかかる空気調和機は、メンテナンス作業性が良く、室外ユニットから吐出する熱交換後の空気の吐出風の風量損失及びそれに伴う能力損失を抑え、容易に風向変更ができるのもので、空気調和機に限らず、ファンを内蔵し空気を排出する空気清浄機、乾燥機など各種機器にも適用可能である。
【図面の簡単な説明】
【００３１】
【図１】本発明の第１の実施の形態を示す空気調和機の室外ユニットの斜視図
【図２】（ａ）本発明の第２の実施の形態を示す空気調和機の室外ユニットの平面図（ｂ）同室外ユニットの斜視図
【図３】本発明の第３の実施の形態を示す空気調和機の室外ユニットの斜視図
【図４】（ａ）本発明の第４の実施の形態を示す空気調和機の室外ユニットの斜視図（ｂ）同室外ユニットの応用例を示す斜視図
【図５】（ａ）本発明の第５の実施の形態を示す空気調和機の室外ユニットの斜視図（ｂ）同室外ユニットの応用例を示す斜視図
【図６】本発明の第６の実施の形態を示す空気調和機の室外ユニットの斜視図
【図７】従来の空気調和機の室外ユニットの展開斜視図
【符号の説明】
【００３２】
１  室外ユニット
１ａ  送風ファン
１ｂ  斜流ファン
２  吐出口
３  前面パネル
４  風向変更装置
５  サービスパネル
６  対向面部
７  開口部
８  側面部
９  空間
１１  第１風向変更部
１２  第２風向変更部
１３  下部側面部
１４  上部側面部
【図１】
2005098569.tif 000003
【図２】
2005098569.tif 000004
【図３】
2005098569.tif 000005
【図４】
2005098569.tif 000006
【図５】
2005098569.tif 000007
【図６】
2005098569.tif 000008
【図７】
2005098569.tif 000009